(57)【要約】      （修正有）【課題】優れた防鳥効果を発揮し、体裁が良く、現場で簡単に、且つ、安全に設置できる防鳥ワイヤ装置の提供。【解決手段】支持金物３ａ、３ｂ、３ｃ間にワイヤ４をコイルばね５を介して張設する。支持金物３は、建物の構造体２へ着脱自在に装着するＵ字状のクランプ金物７とこれから一体に突設した支持棒８からなる。コイルばね５の外端側はフックとされ、内端はワイヤ４の係合部となる。ワイヤ４の一端は端子によって一方のコイルばね５に係合され、他端は他方のコイルばね５に装填されたワイヤグリップ６によって他方のコイルばね５に係合される。ワイヤ４は両端に取り付けたコイルばね５のフックを支持金物３の支持棒８に係止して張設する。【選択図】図１
0003147680.tif 000002
【実用新案登録請求の範囲】
【請求項１】
支持金物間にワイヤを張設した防鳥ワイヤ装置であって、両端の支持金物にワイヤの両端がそれぞれコイルばねを介して取り付けられる構造であり、支持金物は、建物などの構造体へ着脱自在に装着することができるＵ字状のクランプ金物とこれに一端を固定して一体に突設した支持棒とからなり、コイルばねは、支持金物間を内側とした場合に、内端をワイヤ端部との係合部とし、外端を支持棒へ係止するためのフックとしてあり、ワイヤの一端を一方のコイルばねに係合させ、ワイヤの他端を他方のコイルばねに係合させた一方向チャック式のワイヤグリップに差し込むことにより他方のコイルばねに係合し、コイルばねにより張力が付与された状態としてあることを特徴とした防鳥ワイヤ装置。
【請求項２】
両端の支持金物の間に、ワイヤを貫通させた中間支持金物を配置してあることを特徴とした請求項１に記載の防鳥ワイヤ装置。
【請求項３】
コイルばねの内端側は、先端に近づくに従って径が小さくなる円錐状に巻かれていることを特徴とした請求項１又は２に記載の防鳥ワイヤ装置。
【請求項４】
ワイヤグリップは外周面に、コイルばねの内面に係止してコイルばねからの脱出を防ぐ戻り止め突起を設けてあることを特徴とした請求項１〜３のいずれか一つに記載の防鳥ワイヤ装置。
【請求項５】
支持棒にコイルばねのフックと係止する係止溝を周方向に沿って形成すると共に、係止溝の底を支持棒の長手方向と直交する方向に貫通させてワイヤ通し孔を形成してあることを特徴とした請求項１〜４のいずれか一つに記載した防鳥ワイヤ装置。
【請求項６】
支持棒が本体棒とその頂面にねじ込まれる頭付きねじとからなり、頭付きねじのねじ部上部にワイヤ通し孔が形成され、頭部と本体棒の頂面との間が係止溝となり、ねじの回転でワイヤ通し孔の貫通方向を調整できることを特徴とした請求項５に記載の防鳥ワイヤ装置。
【請求項７】
ワイヤの表面に耐候性樹脂をコーティングしてあることを特徴とした請求項１〜６のいずれか一つに記載した防鳥ワイヤ装置。
【請求項８】
ワイヤに風や振動で揺れるフィンを設けてあることを特徴とした請求項１〜７のいずれか一つに記載の防鳥ワイヤ装置。
【考案の詳細な説明】
【技術分野】
【０００１】
本考案は、駅舎、ホーム、高架下等に主として鳩が侵入して巣くうのを防ぐ防鳥ワイヤ装置に関する。
【背景技術】
【０００２】
近年、駅舎、ホーム、高架下等に鳩が侵入して糞を落とし、歩行者の衣服、乗物或いは床を汚すことが問題となっている。
駅舎では、天井等をネットで覆って鳩の侵入を防いだり、鳩が嫌う図柄と色をした風船を取り付けたりしているが、防鳥効果がいまひとつであると共に、公共の場として見栄えが良くない。
鳩には、止まろうとする箇所に不安定なものがあると、警戒して近寄らない習性がある。
【０００３】
この習性を利用して、鳩が止まりそうな箇所に細いワイヤを張った防鳥ワイヤ装置がある。
特許文献１には、建物にＴ字形の取付金具１を間隔をあけて２個、それぞれビス９で止め、一端にコイルスプリング１３を介装したワイヤー１１を前記取付金具１の間に張設した防鳥ワイヤ装置が記載されている。
また、特許文献２には、建物の上下位置にそれぞれアングル１２（金具）がアンカーボルト１１で固定され、下方のアングル１２にはスプリング２を介してボルト３が取り付けられており、線条部４の一端を下方のボルト３の貫通孔３ｄに差し込んでボルト３に係合させると共に、他端を上方のアングル１２に固定した防鳥設備が開示されている。線条部４は、スプリング２によって張力が付与される。
しかし、これらの装置は、建物に金具をビス止めしたり、アンカー止めしたり必要があり、高所では作業が難しく、また、短期の施工が要求されるこの種の作業では手間がかかりすぎる。
【０００４】
特許文献３は、手すり１に取り付けた線材架設部材３間に線材４を架設し、引張コイルばね２３で張力を付与する構造を開示している。そして、線材架設部材３は、着脱や位置の調整が可能となっている。しかし、この防鳥ワイヤ装置はベランダ用であり、取り付け作業の安全や簡便さ及び永続性を、駅舎に防鳥ワイヤ装置を設置する場合ほど考慮する必要がない。
【０００５】
【特許文献１】実開平５−９２８５号公報
【特許文献２】特開２００１−１３６８９４号公報
【特許文献３】特開平９−９８５２号公報
【考案の開示】
【考案が解決しようとする課題】
【０００６】
本考案は、優れた防鳥効果を発揮し、体裁が良く、現場での設置作業を簡便に、かつ、安全に行える防鳥ワイヤ装置の提供を課題とする。
【課題を解決するための手段】
【０００７】
支持金物間にワイヤを張設した防鳥ワイヤ装置とする。
支持金物は、駅舎など建物の構造体へ着脱自在に装着するＵ字状のクランプ金物とこれと一体に一端を固定した支持棒とからなる。
ワイヤは両端がコイルばねを介して支持金物に係合により取り付けられる。
コイルばねは、支持金物間を内側とした場合に、内端をワイヤとの係合部とし、外端を支持棒に係合するフックとする。
ワイヤの端部とコイルばねとの取り付けは係合による。ワイヤの一端を一方のコイルばねの内端に係合させ、他端は、他方のコイルばねに取り付けた一方向チャック式のワイヤグリップに差し込むことにより係合させる。ワイヤグリップは、外方向へのワイヤの移動を許容するが、内方向へのワイヤの移動を阻止する一方向チャック構造である。
【０００８】
中間の支持金物により、ワイヤの中間部を支持することがある。
コイルばねの内端側を先端ほど径が小さく、円錐状となるように巻くことがある。
ワイヤグリップは外周に戻り止め突起を備え、これをコイルばねの内面に係合させてワイヤを差し込む際にワイヤグリップが外方へ脱出してしまうのを防止する構造とすることがある。
支持棒にコイルばねのフックを係合させる環状の係止溝とその底部に、支持棒の長手方向と直交する方向に貫通するワイヤ通し孔を形成することがある。
支持棒を頭付きねじと本体棒とで構成し、頭付きねじを本体棒の頂面にねじ込むことで頭部と頂面との間に係止溝を形成し、ねじ部にワイヤ通し孔を形成することがある。
ワイヤの表面を耐候性樹脂でコーティングすることがある。
さらに、ワイヤに風などで揺れるフィンを設けておくことがある。
【考案の効果】
【０００９】
支持金物がクランプ金物に支持棒が一体に形成された構成であることにより、クランプ金物を構造体の縁に取り付けるだけで、支持棒を固定できる。また、クランプの取り付けにビスなどは必要ないから簡便である。
一端を一方のコイルばねに係合させたワイヤの他端を他方のコイルばねに取り付けた一方向クラッチ方式のワイヤグリップに差し込むだけの簡便な作業で、ワイヤを他方のコイルばねに係合させ、同時にワイヤに張力を付与することができる。
ワイヤの両端に係合させたコイルばねのフックを支持棒に係止するだけでワイヤを張設できる。
以上のように、防鳥ワイヤ装置の設置に、複雑な作業は必要ないから高所の作業でも安全である。
【００１０】
コイルばねの内端側が円錐状であると、防鳥ワイヤ装置の外観において、ワイヤからコイルばねへの移行が滑らかでデザイン的にスマートな、すぐれたものとなる。特に、建物の構造体が露出する場所では景観に溶け込んで目立たなくなる。
支持金物の支持棒に環状の係止溝とその底にワイヤ通し孔を貫通させておくと、ワイヤの両端と中間に配置する支持金物として同じものを利用することができる。
中間支持金物を利用すると、両端の支持金物間に長いワイヤを張設することができ、両端のコイルばねや内部の一方向チャックタイプのワイヤグリップの数が少なくなり、防鳥ワイヤ装置設置計画全体のコストを低減することができる。
【考案を実施するための最良の形態】
【００１１】
図１〜図５は、実施例１を示す。
防鳥ワイヤ装置１（図１）は、Ｈ型鋼等、建物の構造体２の縁に間隔をあけて取り付けた両端の支持金物３ａ、３ｂと、これらの間に張設したワイヤ４、コイルばね５（図２）、一方向チャックタイプのワイヤグリップ６（図３）及びこの実施例において両端の支持金物３ａ，３ｂの間に配置された中間支持金物３ｃを備える。
両端と中間の支持金物を区別しないときは、支持金物３とする。
また、この明細書において、両端の支持金物３ａ，３ｂ間を内側とし、図１において支持金物３ａの左側及び支持金物３ｂの右側を外側とする。
【００１２】
支持金物３（図４）は、クランプ金物７と支持棒８及び押しボルト９とからなる。
クランプ金物７はＵ字形に屈曲させた板金金物であり、上辺部１０と下辺部１１を有する。上辺部１０と下辺部１１の間隔は、前記構造体２の縁の厚さよりも十分に大きくしてあり、下辺部１１に下方から押しボルト９がねじこまれている。振動がある場所では押しボルト９に緩み止め処理を施したボルトを使用する。スプリングワッシャを利用できる場合もある。
支持棒８は、この実施例において、上辺部１０の上面から垂直に立設された丸棒であり、下端が上辺部１０に圧着により固定されている。支持棒８は上端部に環状の係止溝１２とその底部から支持棒８の長手方向と直交する方向にワイヤ通し孔１３が形成されている。ワイヤ通し孔１３を平面視でみると、クランプ金物７が構造体２の縁へ噛みこむ方向と直交する方向（構造体２の縁が延在する長手方向）である。
このように、支持金物３はクランプ金物７と支持棒８が一体となった構造であり、支持棒８に環状の係止溝１２とワイヤ通し孔１３が形成されている。
【００１３】
ワイヤ４は、ステンレスの撚り線である。外面にナイロン樹脂をコーティングしてある。ワイヤ４の太さは、この実施例において直径１．５ｍｍであり、一端に係合のための端子１４を固定してある（図５）。ワイヤ４の他端は切り放しである。ただし、コーティングのないワイヤを使用する場合は、危険のないように端部のバラケをまとめた処理が必要である。
コイルばね５（図２）は、ステンレスを素材とし、この実施例において長さ４０ｍｍ、外径１０ｍｍである。コイルばね５は、内端側の巻きを先端ほど径が小さくなる円錐部１５に形成され、外端側はフック１６に形成してある。
【００１４】
ワイヤグリップ６（図３）は、ケース筒１７と、ケース筒１７内に設置した複数のシュー１８と、シュー１８をケース筒１７内部の先端部に形成されたテーパー面１９に押圧する押圧スプリング２０及びケース筒１７の先端部に挿入したプッシュパイプ２１を備える。プッシュパイプ２１は、シュー１８の先端面に当接しこれを外方へ押し込むことができるようになっている。そして、プッシュパイプ２１からケース筒１７の中心軸に沿ってワイヤ４の一端部を差し込むことができ、さらに、プッシュパイプを押し込んだ状態でシュウ１８を開き、その間にワイヤ４を差し通すことができるようになっている。符号２２は蓋体であり、ねじ込み式で取り付けられる。
【００１５】
ケース筒１７の外径は前記コイルばね５の内径より僅かに小さく、コイルばね５の外端側から内部へ挿入することができる。ケース筒１７の外面には断面テーパー状の戻り止め突起２３が形成されている。このため、ワイヤグリップ６をコイルばね５に差し込むと、コイルばね５の円錐部１５の内面に突き当たって内方への移動が阻止されると共に、ケース筒１７の戻り止め突起２３がコイルばね５の内面に係合して、外方への移動も阻止される。すなわち、ワイヤグリップ６はコイルばね５へ装填するだけで取り付けられる（図５）。なお、プッシュパイプ２１は内端側が円錐部１５から内方へ突出する。
中間支持金物３ｃは、この実施例において支持金物３ａ，３ｂと同じ構造である。
【００１６】
防鳥ワイヤ装置１を設置するには、まず、構造体２の縁に支持金物３を、準備したワイヤ一本の長さ（単位長さ）に対応した間隔ごとに取り付ける。この実施例において、両端の支持金物３ａ，３ｂ間は５ｍであり、中間に中間支持金物３ｃを配置している。
支持金物３の取り付けは、図４のように、支持棒８を直立させ、Ｕ字形をしたクランプ金物７の開口を構造体２の縁に噛ませ、下方から押しボルト９をねじ込んで固定する。
【００１７】
コイルばね５を２個準備し、ワイヤ４の切り放し側を一方のコイルばね５に外方から差し通して端子１４を円錐部１５に係合させておき、他方のコイルばね５には、ワイヤグリップ６を装填しておく。一方のコイルばね５側を一端とし、ワイヤ４の他端（切り放し側）を中間支持金物３ｃのワイヤ通し孔１３に貫通させ、さらに、他方のコイルばね５に装填されたワイヤグリップ６に差し込み固定する。ワイヤ４はワイヤグリップ６の一方向チャック機能により、差し込み方向（外方）へは移動できるが、戻り方向（内方）へはプッシュパイプ２１を押し込まない限り移動させることはできない。
【００１８】
次いで、ワイヤ４を両端のコイルばね５のフック１６を利用して両側の支持金物３ａ,３ｂの支持棒８に係止することで張設する。張力はコイルばね５がわずかに伸長する程度が好ましく、他方の支持金物３ｂの側でワイヤ４の長さを調整することにより行える。支持棒８とフック１６との係止は環状の係止溝１２を利用するので、係止作業が簡単である。この作業を構造体２の所定範囲に繰り返して防鳥ワイヤ装置１を完成する。
このように、設置作業はビスのねじ込み作業などをしないので、簡単であり、高所作業であっても安全である。
また、ワイヤグリップ６はコイルばね５の内部に隠蔽されるので、防鳥ワイヤ装置１の外見は、ワイヤ４の両端がコイルばね５で支持棒８に係止された、これ以上には考えられないほどに、単純な構造であり、しかも、コイルばね５はいずれも先端部がワイヤ４に向かって細くなる円錐部１５とされているので、全体がすっきりとスマートな印象となる。
【００１９】
防鳥ワイヤ装置１は、両端に支持金物３ａ，３ｂを用いてワイヤ４の単位長さごとに独立させて連続させることもあれば、連続させることもある。連続させる場合、連続側で二重となる支持金物３ｂの一方を省略して、一本の支持棒８に両側からフック１６を係止することもある。この場合でも、支持棒８の係止溝１２は環状に形成されているので、両側からフック１６を係止しやすいし、また、必要な支持金物３の数を減らすことができる。
なお、ワイヤ４の中間部を支持金物３ｃで支持するとワイヤ４の単位長さをおおきくすることができ、比較的高価なコイルばね５やワイヤグリップ６の数を少なくすることができる。
【００２０】
図６は、第２の実施例におけるクランプ金物７である。他の構成は実施例１と同様である。このクランプ金物７は、Ｕ字形をした上辺部１０と下辺部１１をつなぐ連絡部２４に支持棒８を直立させたことを特徴とする。
図のように逆Ｔ字形の頂部に防鳥ワイヤ装置１を構築する場合に便利である。
【００２１】
図７は、第３の実施例における支持棒８である。他の構成は実施例１あるいは実施例２と同様である。
この支持棒８は本体棒２５とねじ２６とからなる。
本体棒２５は、鋼製丸パイプを切断したものであり、頂部にねじ孔２７が形成されている。
ねじ２６は頭部２８とねじ部２９とからなり、ねじ部２９の上部にワイヤ通し孔１３を形成してある。ワイヤ通し孔１３は、この実施例では平面視において直交して十文字に２本を貫通させてある。
【００２２】
ねじ２６を本体棒２５にねじ込んで取り付ける。本体棒２５のねじ孔２７は、ねじ部２９よりも深く、ねじ２６は任意の位置までねじ込むことができる。ただし、ねじの頭部２８と本体棒頂面との間に係止溝１２を構成するので、不必要に深くねじ込むことや、ワイヤ通し孔１３が本体棒２５に隠れてしまうような位置まで、ねじ込むことは好ましくない。
この実施例の支持棒８によるとねじ２６を回すことでワイヤ通し孔１３の貫通方向を自由に定めることができ、防鳥ワイヤ装置１を屈曲したり、湾曲したりしている構造体２に沿って配置する場合に、ワイヤ４を支持棒８へ無理なく支持させることができる。
ねじ２６は、実際には、防錆処理したなべ頭ビスなどにワイヤ通し孔１３を形成して利用することができる。
【００２３】
図８は、実施例４におけるワイヤ４を示したものである。このワイヤ４は、風や振動で揺れるフィン３０を付加してあることを特徴とする。フィン３０を付加する構造としてはワイヤを撚る際に樹脂リボンを共に巻き込んだ後フィン３０に裁断するとか、周囲にフィン３０を形成した樹脂チューブをワイヤに被せるなどの手段を利用することができる。
以上は実施例であり、支持金物３の構造やワイヤ４あるいはコイルばね５の材質などが特に限定されることはない。
クランプ金物７に対する支持棒８の固定方法や手段は溶接やねじ込みなどあらかじめ一体に結合し、頑丈に固定しておけるものであればよい。
中間支持金物３ｃは、両端の支持金物３ａ，３ｂと異なる構造のものであってもよい。
ワイヤグリップは、一方向チャックとなるものであれば良く、シュー１８に代えてボールを利用するものもある。
【図面の簡単な説明】
【００２４】
【図１】防鳥ワイヤ装置を設置した構造体の側面図（実施例１）。
【図２】コイルばねの側面図。
【図３】ワイヤグリップを断面で示す側面図。
【図４】防鳥ワイヤ装置を設置した構造体の正面図。
【図５】コイルばねにワイヤグリップを装填した状態を一部断面で示す側面図。
【図６】防鳥ワイヤ装置を設置した構造体の正面図（実施例２）。
【図７】支持棒の上部を示した一部断面による正面図（実施例３）。
【図８】ワイヤの一部を示した斜視図（実施例４）。
【符号の説明】
【００２５】
１  防鳥ワイヤ装置
２  構造体
３  支持金物
３ａ，３ｂ  両端支持金物
３ｃ  中間支持金物
４  ワイヤ
５  コイルばね
６  ワイヤグリップ
７  クランプ金物
８  支持棒
９  押しボルト
１０  上辺部
１１  下辺部
１２  係止溝
１３  ワイヤ通し孔
１４  端子
１５  円錐部
１６  フック
１７  ケース筒
１８  複数のシュー
１９  テーパー面
２０  押圧スプリング
２１  プッシュパイプ
２２  蓋体
２３  戻り止め突起
２４  連絡部
２５  本体棒
２６  ねじ
２７  ねじ孔
２８  頭部
２９  ねじ部
３０  フィン
【図１】
0003147680.tif 000003
【図２】
0003147680.tif 000004
【図３】
0003147680.tif 000005
【図４】
0003147680.tif 000006
【図５】
0003147680.tif 000007
【図６】
0003147680.tif 000008
【図７】
0003147680.tif 000009
【図８】
0003147680.tif 000010